(57)【要約】      （修正有）【課題】レジカゴに詰め替えられた大量の購入商品を購入者が更に持参の買物バッグに詰め替える手間をなくすことができ、しかも大量の購入商品を効果的に収納でき、更に保冷バッグとしても使用できる買物バッグを提供する。【解決手段】底面部２と、一対の胴面部３と、一対の胴面部の開度を調整しえるマチ部４とから成り、胴面部とマチ部の上端部によって開口部５を形成し、胴面部の対向側縁部にスライドファスナー８を設けたバッグ１であり、スライドファスナー８の全開状態において、レジカゴ２０内に開口部５を拡開させた状態に装着可能に構成し、スライドファスナー８の全閉状態においてはバッグを略密閉状態に構成した。しかも開口部５を被覆する巾着部９を設けた。更に底面部及び胴面部の内面に保冷シートを張設した。【選択図】図１
0003137471.tif 000002
【実用新案登録請求の範囲】
【請求項１】
レジカゴの矩形底部の大きさ及び形状と略同等な又はやや小さな矩形の底面部と、この底面部の一方の対向縁辺の両中心部で二つに分けられた各周縁に下端部をそれぞれ接合された一対の胴面部と、一対の胴面部の上端部を除く立ち上げ側縁部の対向間にそれぞれ架設され、この立ち上げ側縁部の対向間の開度を調整しえるマチ部とから成り、一対の胴面部の上端部と一対のマチ部の上端部によって開口部を形成し、少なくとも前記胴面部及び前記マチ部を柔軟素材で形成し、一対の胴面部の各外面に手提げ用又は肩掛け用の取手をそれぞれ取り付けたバッグであり、このバッグは、前記開口部の広さを前記底面部の広さより広い開口に拡開可能に形成し、レジカゴ内にこの開口部を拡開させた状態に装着可能に構成したことを特徴とする買物バッグ。
【請求項２】
レジカゴの矩形底部の大きさ及び形状と略同等な又はやや小さな矩形の底面部と、この底面部の一方の対向縁辺の両中心部で二つに分けられた各周縁に下端部をそれぞれ接合された一対の胴面部と、一対の胴面部の上端部を除く立ち上げ側縁部の対向間にそれぞれ架設され、この立ち上げ側縁部の対向間の開度を調整しえるマチ部とから成り、一対の胴面部の上端部と一対のマチ部の上端部によって開口部を形成し、少なくとも前記胴面部及び前記マチ部を柔軟素材で形成し、一対の胴面部の各下端部を除く対向側縁部にスライドファスナーを設け、一対の胴面部の各外面に手提げ用又は肩掛け用の取手をそれぞれ取り付けたバッグであり、このバッグは、前記スライドファスナーの全開状態において、前記開口部の広さを前記底面部の広さより広い開口に拡開可能に形成すると共に、レジカゴ内にこの開口部を拡開させた状態に装着可能に構成し、前記スライドファスナーの全閉状態においてはバッグを略密閉状態に構成したことを特徴とする買物バッグ。
【請求項３】
前記開口部の周縁部の内側に該開口部を開閉可能に被覆する巾着部を設けたことを特徴とする請求項１又は請求項２に記載の買物バッグ。
【請求項４】
前記バッグの底面部の内面及び胴面部の内面に保冷シートを張設したことを特徴とする請求項２に記載の買物バッグ。
【請求項５】
前記巾着部を抗菌及び防臭生地シートで形成したことを特徴とする請求項３に記載の買物バッグ。
【考案の詳細な説明】
【技術分野】
【０００１】
本考案は、レジカゴから購入商品を詰め替える手間をなくすことができると共に、大量の購入商品を効果的に収納でき、保冷バッグとしても使用できる買物バッグに関する。
【背景技術】
【０００２】
スーパー等の大型店舗においては、購入者が購入商品を入れたレジカゴを精算カウンターへ持ち込み、この精算カウンターで店員が精算しながら別のレジカゴ内に購入商品を詰め替え、レジカゴ内に詰め替えられた購入商品を購入者が供与されたポリ袋や持参の買物バッグに更に詰め替えている。しかし、店員によってレジカゴに詰め替えられた購入商品を購入者が更に持参の買物バッグなどに詰め替えるのは面倒であり、特に大量の購入商品を詰め替えるのは面倒であった。
【０００３】
また、近年、スーパー等の大型店舗においても、二酸化炭素の削減など省資源の観点からポリ袋の無償供与を減らし、買物バッグを持参することを奨励している。しかし、前記したレジカゴ経由の買物においては、店員によってレジカゴに詰め替えられた購入商品を購入者が更に持参の買物バッグに詰め替える手間がかかり、面倒であり、特に大量の購入商品を詰め替えるのは面倒であった。
【０００４】
このような実情から、レジカゴ経由の大量の買物に適した買物バッグの出現が要望されていた。
【考案の開示】
【考案が解決しようとする課題】
【０００５】
係る実情に鑑み、本考案は、店員によってレジカゴに詰め替えられた大量の購入商品を購入者が更に持参の買物バッグに詰め替える手間をなくすことができる買物バッグを提供することを主な目的とする。更に、大量の購入商品を効果的に収納でき、保冷バッグとしても使用できる買物バッグを提供することを目的とする。
【課題を解決するための手段】
【０００６】
前記の目的を達成するため、本考案は、レジカゴの矩形底部の大きさ及び形状と略同等な又はやや小さな矩形の底面部と、この底面部の一方の対向縁辺の両中心部で二つに分けられた各周縁に下端部をそれぞれ接合された一対の胴面部と、一対の胴面部の上端部を除く立ち上げ側縁部の対向間にそれぞれ架設され、この立ち上げ側縁部の対向間の開度を調整しえるマチ部とから成り、一対の胴面部の上端部と一対のマチ部の上端部によって開口部を形成し、少なくとも前記胴面部及び前記マチ部を柔軟素材で形成し、一対の胴面部の各外面に手提げ用又は肩掛け用の取手（帯状提げ紐）をそれぞれ取り付けたバッグであり、このバッグは、前記開口部の広さを前記底面部の広さより広い開口に拡開可能に形成し、レジカゴ内にこの開口部を拡開させた状態に装着可能に構成したことを特徴とする買物バッグを提供する。
【０００７】
また、前記の目的を達成するため、本考案は、レジカゴの矩形底部の大きさ及び形状と略同等な又はやや小さな矩形の底面部と、この底面部の一方の対向縁辺の両中心部で二つに分けられた各周縁に下端部をそれぞれ接合された一対の胴面部と、一対の胴面部の上端部を除く立ち上げ側縁部の対向間にそれぞれ架設され、この立ち上げ側縁部の対向間の開度を調整しえるマチ部とから成り、一対の胴面部の上端部と一対のマチ部の上端部によって開口部を形成し、少なくとも前記胴面部及び前記マチ部を柔軟素材で形成し、一対の胴面部の各下端部を除く対向側縁部にスライドファスナーを設け、一対の胴面部の各外面に手提げ用又は肩掛け用の取手（帯状提げ紐）をそれぞれ取り付けたバッグであり、このバックは、前記スライドファスナーの全開状態において、前記開口部の広さを前記底面部の広さより広い開口に拡開可能に形成すると共に、レジカゴ内にこの開口部を拡開させた状態に装着可能に構成し、前記スライドファスナーの全閉状態においてはバッグを略密閉状態に構成したことを特徴とする買物バッグを提供する。
【０００８】
また、前記の目的を達成するため、本考案は、前記開口部の周縁部の内側に該開口部を開閉可能に被覆する巾着部を設けたことを特徴とする買物バッグを提供する。そして、前記巾着部の被覆シート部を抗菌及び防臭生地シートで形成した買物バッグを提供する。
【０００９】
また、前記の目的を達成するため、本考案は、前記スライドファスナーの全閉状態においてバッグを略密閉状態に構成した前記買物バッグにおいて、前記バッグの底面部の内面及び胴面部の内面に保冷シートを張設したことを特徴とする買物バッグを提供する。
【考案の効果】
【００１０】
本考案の買物バッグは、前記開口部の広さを前記底面部の広さより広い開口に拡開可能に形成し、レジカゴ内にこの開口部を拡開させた状態に装着可能に構成したことを特徴としている。また、スライドファスナーを設けたバッグは、スライドファスナーの全開状態において、前記開口部の広さを前記底面部の広さより広い開口に拡開可能に形成すると共に、レジカゴ内にこの開口部を拡開させた状態に装着可能に構成し、スライドファスナーの全閉状態においてはバッグを略密閉状態に構成したことを特徴としている。
【００１１】
したがって、スーパー等の大型店舗の精算カウンターで店員が精算しながら別のレジカゴ内に購入商品を詰め替える際、本考案の買物バッグをレジカゴ内に開口部を拡開させた状態に装着し、この買物バッグ内に購入商品を詰め替えることによって、購入者が再度詰め替える手間が省け、頗る便利である。
【００１２】
また、本考案の買物バッグによれば、購入商品（収納物品）が大量の場合は、バッグの開口部を巾着部で被覆して閉じることができ、購入商品（収納物品）が比較的少量の場合は、スライドファスナーを閉じてバッグを略密閉状態に構成できる。本考案の買物バッグは、バッグの底面部の内面及び胴面部の内面に保冷シートを張設してあるため、特に、スライドファスナーを全閉してバッグを略密閉状態に構成した場合、保冷効果が高く、鮮度の保持を求められる生鮮食品などの保冷商品の買物バッグとしても好適である。
【考案を実施するための最良の形態】
【００１３】
本考案に係る買物バッグの実施形態を図面に基づき説明する。図１は本考案の買物バッグをレジカゴ内に装着した状態を示し、図２は本考案の買物バッグ内に購入商品を詰め替える使用状態を示している。また、図３は巾着部を閉じた状態の本考案の買物バッグを示し、図４はファスナーを閉じた状態の本考案の買物バッグを示し、図５はファスナーを閉じた本考案の買物バッグの内部を縦断して示したものである。
【００１４】
図１及び図２に示したレジカゴ２０は、スーパー等の大型店舗において公用されているものを指し、底部を略長方形の矩形とし、上部を矩形枠で開口したものを概略的に示し、煩雑さを避けるため側部の格子部を省略して示している。
【００１５】
本考案の買物バッグ１は、レジカゴ２０の略長方形状の矩形底部の大きさ及び形状と略同等な又はやや小さな略長方形状の矩形の底面部２と、この底面部２の短辺側の対向縁辺２ａ，２ａの両中心部で二つに分けられた各周縁に下端部３ｂ，３ｂをそれぞれ逢着して接合された一対の胴面部３，３と、一対の胴面部３，３の上端部３ａを除く立ち上げ側縁部３ｃ，３ｃの対向間にそれぞれ架設され、この立ち上げ側縁部３ｃ，３ｃの対向間の開度を調整しえるマチ部４，４とから成り、一対の胴面部３，３の上端部３ａ，３ａと一対のマチ部４，４の上端部４ａ，４ａによって開口部５を形成している。前記胴面部３，３の各外面に手提げ用又は肩掛け用の帯状提げ紐から成る取手６，６をそれぞれ取り付けている。
【００１６】
前記買物バッグ１は、ポリエステル繊維などの柔軟素材で形成し、いわゆるソフトバッグとして構成している。買物バッグ１の底面部２の内面及び胴面部３，３の内面には図５に示すように発泡ウレタン等のクッション性の断熱材を内張りしたアルミフィルムなどの保冷シート７を逢着して張設している。
【００１７】
一対の胴面部３，３の下端部３ｂ，３ｂ（前記底面部２との逢着部）を除く対向側縁部（胴面部３，３の上端部３ａと立ち上げ側縁部３ｃ，３ｃ）にスライドファスナー８，８をそれぞれ設けている。
【００１８】
この買物バッグ１は、図１及び図２に示した前記スライドファスナー８，８の全開状態において、前記開口部５の広さを前記底面部２の広さより広い開口に拡開可能に形成すると共に、レジカゴ２０内にこの開口部５を拡開させた状態に装着可能に構成し、図４及び図５に示した前記スライドファスナー８，８の全閉状態においてはバッグを略密閉状態に構成している。
【００１９】
本考案の買物バッグ１は、図３に示したように、前記開口部５の周縁部の内側に該開口部５を開閉可能に被覆する巾着部９を設けている。この巾着部９は、被覆シート部９ａの中央部に巾着開口部９ｂを有し、この巾着開口部９ｂの周縁部に袋状の紐通し部を形成し、この紐通し部に縛り紐９ｃを挿通してある。この縛り紐９ｃで巾着開口部９ｂを締め付けて閉じ、縛り紐９ｃを緩めて巾着開口部９ｂを全開できるように構成してある。前記巾着部９の被覆シート部９ａは柔らかな生地シートで形成し、好ましくは柔らかな抗菌及び防臭生地シートで形成している。
【００２０】
本考案の買物バッグ１によれば、購入商品（収納物品）が大量の場合は、バッグ１の開口部５を巾着部９で被覆して閉じることができ、購入商品（収納物品）が比較的少量の場合は、スライドファスナー８を閉じてバッグを略密閉状態に構成できる。本考案の買物バッグ１は、前述したように、バッグ１の底面部２の内面及び胴面部３，３の内面に保冷シート７を張設してあるため、特に、スライドファスナー８を全閉してバッグ１を略密閉状態に構成した場合、保冷効果が高く、鮮度の保持を求められる生鮮食品などの保冷商品の買物バッグとしても好適である。
【図面の簡単な説明】
【００２１】
【図１】本考案の買物バッグをレジカゴ内に装着した状態を示す斜視図である。
【図２】本考案の買物バッグ内に購入商品を詰め替える使用状態を示す斜視図である。
【図３】巾着部を閉じた状態を示す本考案の斜視図である。
【図４】ファスナーを閉じた状態を示す本考案の斜視図である。
【図５】ファスナーを閉じた状態の拡大縦断面図である。
【符号の説明】
【００２２】
１  バッグ（買物バッグ）
２  底面部
３，３  胴面部
４，４  マチ部
５  開口部
６  取手
７  保冷シート
８  スライドファスナー
９  巾着部
２０  レジカゴ
【図１】
0003137471.tif 000003
【図２】
0003137471.tif 000004
【図３】
0003137471.tif 000005
【図４】
0003137471.tif 000006
【図５】
0003137471.tif 000007